(57)【特許請求の範囲】
【請求項１】
対象物に光パルスを投光して反射パルスを受光するまでの時間を計測し、該計測時間に基づいて前記対象物までの距離を計測する光測距装置において、
前記反射パルスの受光による受光パルスをフィルタリングした信号のゼロクロス点を受光時刻として計測した時間に基づく算出距離と、前記受光パルスのレベルが所定の閾値に到達した時点を受光時刻として計測した時間に基づく算出距離とを比較して、小さい方を前記距離とする光測距装置。
【請求項２】
前記反射パルスの受光により発生する受光パルスの波高値を検出する波高値検出手段と、
前記波高値検出手段により検出された検出波高値が予め設定した所定の範囲内であるときに、前記ゼロクロス点を受光時刻として計測した時間に基づく前記算出距離と前記受光パルスのレベルが所定の閾値に到達した時点を受光時刻として計測した時間に基づく前記算出距離とを比較して、算出距離の小さい方を前記対象物までの距離として選択する選択手段と、
を備えることを特徴とする請求項１に記載の光測距装置。
【請求項３】
前記受光パルスのレベルが所定の閾値に到達した時点を受光時刻として計測した前記時間を補正する計測時間補正手段を備えることを特徴とする請求項１又は２に記載の光測距装置。
【発明の詳細な説明】
【技術分野】
【０００１】
本発明は、測距対象物に光パルスを投光してからその反射パルスを受光するまでの計測時間から測距対象物までの距離を計測する光測距装置に関する。
【背景技術】
【０００２】
この種の光測距装置としては、共振回路を用いて受光パルスのゼロクロス点を検出することにより反射パルスの受光時刻を検出して距離を計測する方式（以下、「共振測距方式」と言う）の光測距装置や、受光するパルスの立上りエッジを検出することにより反射パルスの受光時刻を検出して距離を計測する方式（以下、「立上り測距方式」と言う）の光測距装置が知られている。
【０００３】
ところで、共振測距方式は、受光パルスに含まれる特定周波数成分で共振する共振回路を用いて特定周波数成分信号を抽出し、抽出した信号波形のゼロクロス点を受光時刻として検出するものであり、この測距方式の場合、受光パルスが低レベルの領域（遠距離の測定領域）においては、算出距離と実際の距離とは略正比例の関係にあり精度の良い測距が可能であるが、受光パルスが高レベルの領域（近距離の測定領域）においては、測距誤差を生じることが知られている。また、立上り測距方式は、受光パルスのレベルが予め設定した閾値を越えた時点を受光時刻として検出するものであり、この立上り測距方式の場合、受光パルスが高レベルの領域（近距離の測定領域）においては、精度の良い測距が可能であるが、受光パルスが低レベルの領域側になるにつれて、測距精度が低下することが知られている。このように、立上り測距方式や共振測距方式を用いた光測距装置は、それぞれ測距精度が低下する測定領域があるため、測距精度を満足する広いダイナミックレンジを確保することができないという問題がある。
【０００４】
この問題を解決するため、共振測距方式により距離を算出する測距手段と、立上り測距方式により距離を算出する測距手段とを備え、受光パルスの受光レベルが、予め設定した受光レベルより小さいときは共振測距方式の測距手段の算出距離を測距対象物までの距離として選択し、予め設定した受光レベルより高いときは立上り測距方式の測距手段の算出距離を測距対象物までの距離として選択するように構成することにより、広いダイナミックレンジを確保することが可能な光測距装置が提案されている（特許文献１参照）。このように、特許文献１に記載された光測距装置は、予め設定した受光パルスの受光レベルに基づいて測距方式の切替位置を定める構成である。
【先行技術文献】
【特許文献】
【０００５】
【特許文献１】特開２００７−１４７３３２号公報
【発明の概要】
【発明が解決しようとする課題】
【０００６】
しかしながら、特許文献１に記載された光測距装置において、両測距方式による算出距離が一致する点を正確に求めることは難しいため、両測距方式の算出距離が一致する点で測距方式を切り替えるように切替位置を設定することは困難であった。したがって、特許文献１に記載された光測距装置においては、設定した切替位置が両測距方式の算出距離一致点とずれてしまう可能性があるため、両測距方式による算出距離が一致する点の付近では、精度の良い距離を算出可能な測距方式を選択しないおそれがある。このように、特許文献１に記載された光測距装置によって、広いダイナミックレンジを確保することが可能となったが、両測距方式の算出距離が一致する点の付近の測定領域においては、最適な測距方式を選択して測定精度を向上させる余地があった。
【０００７】
そこで、本発明は上記問題点に着目してなされたもので、共振測距方式による算出距離と立上り測距方式による算出距離が一致する点の付近の測定領域においても、最適な測距方式を選択して、測定精度を向上させることが可能な光測距装置を提供することを目的とする。
【課題を解決するための手段】
【０００８】
上記目的を達成するために、本発明による光測距装置は、対象物に光パルスを投光して反射パルスを受光するまでの時間を計測し、該計測時間に基づいて前記対象物までの距離を計測する光測距装置において、前記反射パルスの受光による受光パルスをフィルタリングした信号のゼロクロス点を受光時刻として計測した時間に基づく算出距離と、前記受光パルスのレベルが所定の閾値に到達した時点を受光時刻として計測した時間に基づく算出距離とを比較して、小さい方を前記距離とすることを特徴とする。
【０００９】
このような構成により、共振測距方式による算出距離と立上り測距方式による算出距離とを比較して、算出距離の小さい方を測距対象物までの距離とする。
【発明の効果】
【００１０】
本願発明の光測距装置によれば、両測距方式の測距精度が低下する各測定領域においては、共に算出した距離が実際の距離よりも遠距離側にずれるという特性を考慮して、両測距方式の算出距離のうち値の小さい方の算出距離を対象物までの距離として選択するようにしたので、算出距離が一致する点の付近の測定領域においても、最適な測距方式を選択することができる。したがって、全測定領域において精度の良い測距方式を選択することができるので、従来の光測距装置と比較して、測定精度をさらに向上させることが可能な光測距装置を提供することができる。
【図面の簡単な説明】
【００１１】
【図１】本発明に係る光測距装置の第１実施形態を示す構成図である。
【図２】上記実施形態の光測距装置における算出距離と実際の算出距離との関係を示す図であり、（ａ）は全測定領域における概略の関係を示す図であり、（ｂ）は（ａ）におけるＡ部拡大図である。
【図３】共振測距方式の特性を説明する図であり、（ａ）は共振回路への入力波形、（ｂ）は共振回路からの出力波形を示す図である。
【図４】立上り測距方式の特性を説明する図であり、受光パルス波高値によるエッジ点がばらつく状況を示す図である。
【図５】受光パルス波高値による第２測距部の計測時間変化の説明図である。
【図６】計時補正部の補正方法の説明図である。
【図７】本発明に係る光測距装置の第２実施形態を示す構成図である。
【発明を実施するための形態】
【００１２】
以下、本発明の実施形態を図面に基づいて説明する。
図１は、本発明に係る光測距装置の第１実施形態を示す概略構成図である。
【００１３】
本実施形態による光測距装置は、測距対象物であるターゲット１に対して光パルスを投光してからその反射パルスを受光するまでの時間を計測し、この計測時間に基づいて測距対象物までの距離を計測するものであり、図１に示すように、光パルス投光部２と、光パルス受光部３と、投光タイミング検出部４と、波高値検出手段である波高値検出部５と、第１測距手段である第１測距部６と、第２測距手段である第２測距部７と、選択手段である選択部８とを備えて構成されている。
【００１４】
前記光パルス投光部２は、測距対象物であるターゲット１に対して光パルスを発射する例えばレーザ光源からなるものである。
【００１５】
前記光パルス受光部３は、ターゲット１からの反射散乱光の一部を反射パルスとして受光して受光パルスを発生するものである。
【００１６】
前記投光タイミング検出部４は、光パルス投光部２の投光パルスの一部を入力して投光パルスの投光タイミング（投光時刻）を検出し計時のスタートタイミング信号を出力するものである。
【００１７】
前記波高値検出部５は、光パルス受光部３から入力する受光パルスの波高値を検出するものである。波高値検出部５は、具体的には投光パルス波形と受光パルス波形が相似（パルス幅、立上り時間、立下り時間が同じ）であることを前提とし、受光パルスの光量ピーク値を検出し、検出した光量ピーク値を波高値として検出する構成である。
【００１８】
前記第１測距部６は、一般的な共振測距方式を用いて距離を算出するものであり、光パルス受光部３から入力する受光パルスを、共振回路によりフィルタリングした後の信号のゼロクロス点を反射パルスの受光タイミング（受光時刻）とし光パルスの投光時刻から受光時刻までの時間を計測し当該計測時間に基づいてターゲット１までの距離を算出するように構成されている。
【００１９】
第１測距部６は、具体的には、図１に示すように、光パルス受光部３から入力する受光パルスに含まれる特定周波数成分として例えば基本周波数成分を、共振回路を用いて抽出し、抽出した後の基本周波数信号のゼロクロス点を検出しこのゼロクロス点を反射パルスの受光時刻と見なして計時のストップタイミング信号を出力するゼロクロス検出部１１と、投光タイミング検出部４からのスタートタイミング信号が入力してからゼロクロス検出部１１のストップタイミング信号が入力するまでの時間を計測し、この計測時間に基づいてターゲット１までの距離を算出する第１計時部１２とを備える。前記特定周波数成分として基本周波数成分を抽出することによって受光パルスに重畳しているノイズを効果的に除去できるので、ゼロクロス点の検出に対するノイズの影響を抑制できる。
【００２０】
一般的に、共振測距方式の場合、図２（ａ）に白丸印で示すように、受光パルスが低レベルの領域（遠距離の測定領域）においては、算出距離と実際の距離とは略正比例の関係にあるため精度の良い測距が可能であるが、受光パルスが高レベルの領域（近距離の測定領域）においては、算出距離と実際の距離が正比例である場合を示す理想線から算出距離が離れ、測距誤差を生じる。また、共振測距方式は、例えば受光パルスに含まれる特定周波数成分（例えば基本周波）を共振回路で抽出するため、そのフィルタ効果によって雑音成分を抑制することができる。しかし、受光パルスのレベルが高く受信アンプが飽和する場合、共振回路の入力波形は、図３（ａ）に一点鎖線で示すように、受信アンプが飽和していない場合の入力波形と比較して、波形幅が常に後方側に広がるように変形する。したがって、受信アンプが飽和する場合は、図３（ｂ）に一点鎖線で示すように、共振回路からの出力波形も、後方側に広がるように変形し、ゼロクロス点は、受信アンプが飽和していない場合のゼロクロス点より、後方側にずれることが分かる。このように、共振測距方式においては、図２（ａ）に白丸印で示されているように、受信アンプが飽和するほど受光パルスが高レベルとなる近距離側の測定領域においては、ゼロクロス点が後方側にずれるため実際の距離よりも遠距離側の距離を算出し、一方、遠距離側の測定領域においては、受信アンプの飽和によるゼロクロス点のずれは生じないため精度のよい距離を算出するという特性を有する。
【００２１】
前記第２測距部７は、一般的な立上り測距方式を用いて距離を算出するものであり、光パルス受光部３から入力する受光パルスのレベルが所定の閾値に到達した時点（以下、「エッジ点」と言う）を反射パルスの受光タイミング（受光時刻）として光パルスの投光時刻から受光時刻までの時間を計測し当該計測時間に基づいてターゲット１までの距離を算出するように構成されている。
【００２２】
第２測距部７は、具体的には、前記光パルス受光部３から入力する受光パルスのレベルが所定の閾値に到達した時点を検出してこの検出時点を反射パルスの受光時刻と見なして計時のストップタイミング信号を出力する立上りエッジ検出部２１と、投光タイミング検出部４からのスタートタイミング信号が入力してから立上りエッジ検出部２１のストップタイミング信号が入力するまでの時間を計測し、計測時間に基づいてターゲット１までの距離を算出する第２計時部２２とを備える。なお、第２測距部７は、例えば、波高値検出部５で得られる受光パルスのレベルが所定の閾値未満の場合に、測距不能と判断して、所定の最遠距離の値を算出距離として、選択部８へ出力するように構成されている。
【００２３】
一般的に、立上り測距方式の場合、図２（ａ）に黒丸印で示すように、受光パルスが高レベルの領域（近距離の測定領域）においては、算出距離と実際の距離とは略正比例の関係にあり精度の良い測距が可能であるが、受光パルスが低レベルの領域（遠距離の測定領域）になるにつれて、算出距離は理想線から離れ、測距精度が低下する。また、立上り測距方式は、受光パルスの波高値に応じて図４に示すようにエッジ点にばらつきが生じるため、例えば測距対象物が同じ距離にあっても反射率等の影響により受光パルスの波高値が異なると、検出される受光時刻にずれが生じ、測距誤差を生じる。このエッジ点のずれは、図４から分かるように、受光パルスの波高値が低いほど大きくなる。したがって、立上り測距方式においては、図２（ａ）に黒丸印で示されているように、受光パルスが低レベル、即ち、遠距離側の測定領域になるにつれて、エッジ点が後方側にずれていくため実際の距離よりも遠距離側の距離を算出し、一方、近距離側の測定領域においてはエッジ点のずれは小さいため精度のよい距離を算出するという特性を有する。
【００２４】
図２（ｂ）は、図２（ａ）のＡ部を拡大して表した図である。図２（ｂ）に示すように、共振測距方式の第１測距部６と立上り測距方式の第２測距部７の算出距離が一致する点が存在し、この算出距離一致点より近距離側の測定領域においては、第１測距部６は実際の距離よりも遠距離側の距離を算出する特性を有し、算出距離一致点より遠距離側の測定領域においては、第２測距部７は実際の距離よりも遠距離側の距離を算出する特性を有することが分かる。すなわち、図２（ａ）及び図２（ｂ）から分かるように、全測定領域において、第１及び第２測距部６，７から得られる算出距離のうち小さい方が測定精度のよい算出距離である。
【００２５】
本実施形態において、第２計時部２２は、計測時間を補正する計測時間補正手段として計時補正部２２Ａを備えている。計時補正部２２Ａは、例えば、波高値検出部５の検出した波高値に応じて計測時間を補正する。なお、この計時補正部２２Ａを備えて計測時間を補正したとしても、前述した遠距離側における算出距離の理想線とのずれを完全に補正することはできず、前述した遠距離側の測定領域になるにつれて、実際の距離よりも遠距離側の距離を算出するという特性は残る。また、例えば反射率等の影響により測距対象物が同じ距離にあっても受光パルスの波高値が異なってしまい、その結果、検出される受光時刻にずれが生じ、測距誤差が生じてしまうといった測定環境でない場合は、計時補正部２２Ａを省略してもよい。計時補正部２２Ａを省略した場合は、波高値検出部５も省略してもよい、この場合、第２測距部７は、例えば、スタートタイミング信号を受信してから、予め設定する所定時間を経過しても受光パルスを受信しない場合に、測距不能と判断して所定の最遠距離の値を算出距離として選択部８へ出力するように構成する。
【００２６】
前記選択部８は、第１測距部６の算出距離と第２測距部７の算出距離を比較して、値の小さい方の算出距離を測距対象物までの距離として選択する構成である。本実施形態においては、選択部８は、全測定領域において、第１測距部６の算出距離と第２測距部７の算出距離とを常に比較演算して、算出距離の小さい方をターゲット１までの距離として選択し、本光測距装置の測距値として出力するように構成されている。
【００２７】
次に、以上のような構成を有する光測距装置の動作について、図１及び図２に基づいて説明する。また、本説明においては、計時補正部２２Ａによる計測時間の補正動作についての説明は簡略化し、この補正動作については、後に詳述する。
【００２８】
まず、光パルス投光部２からターゲット１に向けて光パルスを発射し、ターゲット１からの反射散乱光の一部を光パルス受光部３で受光する。また、光パルス投光部２から光パルスを発射した際、光パルスの一部を投光タイミング検出部４が受光して、例えば立上りエッジ検出することにより投光パルスの投光タイミング（投光時刻）を検出し、第１測距部６の第１計時部１２と第２測距部７の第２計時部２２にそれぞれ計時のスタートタイミング信号を送信する。光パルス受光部３は、反射パルス光を受光すると受光パルスを発生し、この受光パルスは第１及び第２測距部６，７と波高値検出部５にそれぞれ入力する。
【００２９】
次に、第１測距部６は、ゼロクロス検出部１１に受光パルスが入力すると、共振回路を用いて受光パルスに含まれる基本周波数成分を抽出してその振動波形のゼロクロス点を検出し、この検出時点を反射パルスの受光時刻と見なして計時のストップタイミング信号を第１計時部１２に送信する。第１計時部１２は、投光タイミング検出部４からのスタートタイミング信号の入力時点からストップタイミング信号の入力時点までの時間を計測し、この計測時間に光の伝搬速度を乗算して距離に換算する。更に、計測された時間は光測距装置とターゲット１間を往復する時間に相当するので、前記換算した距離値に１／２を乗算してターゲット１までの距離を算出する。また、第２測距部７は、立上りエッジ検出部２１に受光パルスが入力すると、この受光パルスのレベルが予め定めた閾値に到達した時点を検出し、計時のストップタイミング信号を第２計時部２２に送信する。第２計時部２２は、スタートタイミング信号の入力時点からストップタイミング信号の入力時点までの時間を計測する。更に、第２測距部７の立上りエッジ検出方式では、閾値を一定としたとき受光パルスの波高値レベルに応じてエッジ点が変化して計時のストップタイミングが変化するので、第２計時部２２では、波高値検出部５の検出した波高値に応じて計時補正部２２Ａで計測時間を補正する。その後、第１計時部１２と同様にして補正計測時間を距離に換算し、換算した距離値に１／２を乗算してターゲット１までの距離を算出する。
【００３０】
そして、波高値検出部５は、例えば高速パルス積分器とピークホールド回路を使って受光パルスの光量ピーク値を検出し、投光パルス波形と受光パルス波形のパルス幅が同じであることから光量ピーク値を波高値と見なして出力する。この検出波高値は、前述した計時補正部２２Ａに出力すると共に、選択部８に出力する。最後に、選択部８は、第１測距部６の算出距離と第２測距部７の算出距離とを比較演算して、図２（ｂ）に実線で示すように、算出距離の小さい方をターゲット１までの距離として選択し、測距値として出力する。
【００３１】
かかる本実施形態の光測距装置によれば、両測距手段の算出距離が一致する算出距離一致点より近距離側の測定領域においては、実際の距離よりも遠距離側の距離を算出する共振測距方式の特性と、算出距離一致点より遠距離側の測定領域においては、実際の距離よりも遠距離側の距離を算出する立上り方式の特性とを考慮して、両測距手段の算出距離のうち値の小さい方の算出距離を測距対象物までの距離として選択するようにしたので、算出距離が一致する点の付近の測定領域においても、最適な測距方式を選択することができる。したがって、全測定領域において精度の良い測距方式を選択することができるので、従来の光測距装置と比較して、測定精度をさらに向上させることが可能な光測距装置を提供することができる。
【００３２】
次に、計時補正部２２Ａにおける前述した計時補正について詳述する。
【００３３】
図５に示すように、波高値Ｅ０の投光パルスを投光して波高値Ｅ（Ｅ＜Ｅ０）の受光パルスを受光したとする。投光パルスのレベルが閾値Ｅｔｈに到達するエッジ点を検出して投光タイミング検出部４からスタートタイミング信号が発生し、受光パルスのレベルが閾値Ｅｔｈに到達するエッジ点を検出して立上りエッジ検出部２１からストップタイミング信号が発生する。第２計時部２２はスタートタイミング信号が発生してからストップタイミング信号が発生するまでの時間ｔを計測するものとする。
【００３４】
この場合、図５の破線で示すように、受光パルスのレベルが投光パルスと同じＥ０であれば、パルスの立上り起点（図のＡ１，Ａ２）から閾値Ｅｔｈに到達するまでの時間は、投光パルスも受光パルスも同じでｔ０であり、計測時間ｔは立上り起点Ａ１〜Ａ２までの時間Ｔと常に等しく、計測時間ｔを補正することなくそのまま用いて距離を算出すればよい。しかし、ターゲット１からの反射パルスに基づく受光パルスが投光パルスと同じレベルとなることはなく、受光パルスのレベルがＥのように低くなると、図５に示すように、受光パルスの立上り起点Ａ２から閾値Ｅｔｈに到達するまでの時間は、時間ｔ′遅れる。この遅れ時間ｔ′は受光パルスの波高値が低くなる程大きくなる。このように、第２測距部７では、受光パルスの波高値に応じて計測時間ｔは変化する。したがって、計時補正部２２Ａは、検出された波高値に応じて変化する遅れ時間ｔ′による計測時間ｔの変化を補正する。
【００３５】
本実施形態の計時補正部２２Ａでは、投光パルス及び受光パルスの各立上り起点Ａ１，Ａ２をそれぞれ真の立上りタイミングとし、投光パルスの立上り起点Ａ１から受光パルスの立上り起点Ａ２までの時間Ｔを計測時間として算出するような補正を行っている。
【００３６】
図５から、投光パルスの立上り起点Ａ１から受光パルスの立上り起点Ａ２までの時間Ｔは、Ｔ＝ｔ０＋｛ｔ−（ｔ０＋ｔ′）｝となる。したがって、計時補正部２２Ａでは、ｔ０＋ｔ′＝Δｔとして、このΔｔを算出することにより時間Ｔを算出し、この時間Ｔを投光パルスが発射されてから反射パルスが受光されるまでの計測時間とするような補正を行っている。前記Δｔの算出方法を、図６に基づいて説明する。なお、図６は、受光パルス波形を直線近似したものである。図６において、受光パルスａ〜ｄの順に波高値は低くなっており、波高値が低い程エッジ点が遅れる様子がわかる。ここでは、受光パルスｄを例として補正時間Δｔの算出方法を説明する。
受光パルスｄの波高値をＥ、全立上り時間（０−１００％）をｔａ、立上り時間（１０−９０％）をｔｂとし、閾値をＥｔｈとすると、
ｔａ＝１．２５×ｔｂ ・・・ （１）
Ｅ／ｔａ＝Ｅｔｈ／Δｔ ・・・ （２）
となる。
（２）式から、
Δｔ＝ｔａ×Ｅｔｈ／Ｅ ・・・ （３）
したがって、（１）式と（３）式から、
Δｔ＝１．２５×ｔｂ×Ｅｔｈ／Ｅ ・・・ （４）
であり、閾値Ｅｔｈ＝５Ｅｓとすると、
Δｔ＝６．２５×ｔｂ×Ｅｓ／Ｅ ・・・ （５）
となる。ここで、Ｅｓは前述したシステム所要の測距精度を満足するゼロクロス検出での最小光量レベルである。
【００３７】
したがって、補正計測時間Ｔは、
Ｔ＝ｔ０＋（ｔ−Δｔ） ・・・ （６）
であり、投光タイミング検出部４で受光する投光パルスのレベルは安定しているので、投光パルスにおける時間ｔ０は略一定と考えられるので、例えば時間ｔ０を固定値として予め記憶させておけば、（６）式から容易に計測時間の補正ができる。
【００３８】
このように構成された計時補正部２２Ａを設けることにより、立上りエッジ検出方式で受光時刻を算出する第２測距部７の受光時刻精度が向上し、本光測距装置の測距精度をより一層高めることができる。
【００３９】
なお、上記実施形態では、選択部８は、全測定領域において常に第１測距部６及び第２測距部７の算出距離を比較演算して算出距離の小さい方を選択する構成としたが、これに限らず、波高値検出部５により検出された検出波高値が予め設定した所定の範囲内であるときに、両測距部６，７の算出距離を比較演算して値の小さい方を選択する構成としてもよい。このように構成することにより、検出波高値が予め設定した所定の範囲内であるときだけ、第１及び第２測距部６，７の算出距離を比較演算すればよいので、全測定領域において常に比較演算する場合と比べて比較演算処理を減らすことができる。この構成の場合は、波高値検出部７は必須の構成要素であり、また、図示しないが、波高値検出部７が検出した波高値の信号を選択部８へ出力するように構成する。また、選択部８は、例えば、上限及び下限の波高値を定めて前記所定の範囲を設定する。例えばシステム所要の測距精度を満足する共振測距方式での最小光量レベルをＥｓとしたときは、例えば１０Ｅｓを中心波高値とし、この中心波高値から所定レベルだけ高レベル及び低レベル側に隔てたレベルを、前記所定の範囲を定める上限及び下限波高値として設定する。このように構成することにより、選択部８は、検出波高値が下限波高値以上でかつ上限波高値以下であるときは、第１測距部６の算出距離と第２測距部７の算出距離とを比較演算して、算出距離の小さい方をターゲット１までの距離として選択することができる。また、本構成の場合、選択部８は、波高値検出部５により検出された検出波高値が予め設定した下限波高値未満（遠距離の測定領域）のときは、第１測距部６の算出距離をターゲット１までの距離として選択し、検出波高値が予め設定した上限波高値より大きい（近距離の測定領域）ときは、第２測距部７の算出距離をターゲット１までの距離として選択するようにすることで、全測定領域において、最適な測距方式の算出距離を選択することができる。
【００４０】
ところで、立上り測距方式は、受光パルスのレベルが所定の閾値に到達した時点を受光時刻として、ストップタイミング信号を発生させる構成であるため、受光パルスのレベルが所定の閾値未満の場合は、ストップタイミング信号を発生させない。一方、共振測距方式は、受光パルスのレベルに関係なく、例えば、受光パルスのレベルが立上り測距方式の閾値未満であったとしても、ゼロクロス検出部１１からストップタイミング信号が発生する構成である。このように、共振測距方式は、一般的に、立上り測距方式と比較して外乱光に弱い。したがって、共振測距方式の第１測距部６においては、スタートタイミング信号が第１計時部１２に入力された後、実際の反射パルスに基づく受光パルスを受光する前に、外乱光が入力されてストップタイミング信号を発生させてしまう場合、図２（ｂ）に外乱光による異常値として示したように、実際の距離とは異なる異常に近距離の算出距離を出力する可能性がある。一方、第２測距部７は、閾値以下のレベルの受光パルスに対しては反応しないため、閾値以下の外乱光が入射する環境においては、第１測距部６からの算出距離と比較すると精度の良い距離を算出することができる場合がある。このように両測距方式は、外乱光に対する反応特性において相違する。
【００４１】
図７は、本発明に係る光測距装置の第２実施形態を示す概略構成図であり、前述した両測距方式の外乱光に対する反応特性の違いを利用して、第２測距部７の閾値以下のレベルの外乱光が入射する環境における異常処理を可能にした構成である。なお、図１の第１実施形態と同一の要素には同一の符号を付して説明を省略し、異なる部分についてのみ説明する。
【００４２】
本実施形態においては、第１測距部６の算出距離と第２測距部７の算出距離との差が予め設定した所定値以上であるときは、ターゲット１までの距離として第２測距部７の算出距離を選択部８で選択させるようにする異常処理手段３１を備えている。
【００４３】
前記異常処理手段３１は、図７に示すように、第１及び第２測距部６，７から算出距離のデータを取得するように構成されており、例えば、外乱光がない場合の第１測距部６の算出距離と第２測距部７の算出距離との差の絶対値｜ΔＤ｜（図２（ｂ）参照）を予め設定しておき、測定した第１測距部６の算出距離と第２測距部７の算出距離との差の絶対値｜ΔＤ’｜（図２（ｂ）参照）が、設定した｜ΔＤ｜より大きい場合は、第１測距部６の算出距離は異常であると判断し、ターゲット１までの距離として第２測距部７の算出距離を強制的に選択するように選択部８に対して指令する。そして、選択部８は、異常処理手段３１から前記指令を受けた場合は、この指令に従って第２測距部７の算出距離をターゲットまでの距離として出力するように構成されている。このように構成することにより、第２測距部７の閾値未満のレベルの外乱光が入力されてしまい、第１測距部６から異常に小さく測定精度の悪い算出距離が出力されたとしても、選択部８は第１測距部６よりは測定精度の良い第２測距部７の算出距離を選択して出力することができる。なお、異常処理手段３１は、第２測距部７が距離を算出可能な場合に、上記異常処理を行うように構成されている。
【符号の説明】
【００４４】
１ ターゲット（測距対象物）
５ 波高値検出部（波高値検出手段）
６ 第１測距部（第１測距手段）
７ 第２測距部（第２測距手段）
８ 選択部（選択手段）
２２Ａ 計時補正部（計測時間補正手段）
３１ 異常処理手段
【図１】
0005602554.tif 000002
【図２】
0005602554.tif 000003
【図３】
0005602554.tif 000004
【図４】
0005602554.tif 000005
【図５】
0005602554.tif 000006
【図６】
0005602554.tif 000007
【図７】
0005602554.tif 000008